(57)【特許請求の範囲】
【請求項１】
質量％で、Ｃ：０.００３〜０.０３０％、Ｓｉ：２.０％以下、Ｍｎ：２.０％以下、Ｐ：０.０５０％以下、Ｓ：０.０４０％以下、Ｃｒ：１０.０〜１９.０％、Ｎ：０.０３０％以下、Ｔｉ：０.０７〜０.５０％、Ａｌ：０.０１０〜０.２０％、残部Ｆｅおよび不可避的不純物からなる化学組成を有し、下記（１）式により定義されるＫ値が１５０以上であり、板厚が５.０〜１１.０ｍｍであるＴｉ含有フェライト系ステンレス鋼板。
Ｋ値＝−０.０７×Ｃｒ−６７９０×Ｆｒｅｅ（Ｃ＋Ｎ）−１.４４×ｄ＋２６７  ……（１）
ここで、（１）式のＣｒの箇所には鋼中Ｃｒ含有量（質量％）の値が代入される。Ｆｒｅｅ（Ｃ＋Ｎ）は、鋼中に存在するＣとＮの合計含有量（質量％）から電解抽出法で回収される抽出残渣中に存在するＣとＮの合計含有量（質量％）を差し引いた値（質量％）である。ｄは、圧延方向および板厚方向に平行な断面（Ｌ断面）を研磨した観察面について、ＪＩＳ  Ｇ０５５１：２０１３の附属書Ｃに規定される直線試験線による切断法により求まる平均結晶粒径（μｍ）である。
【請求項２】
質量％で、さらにＭｏ：１.５０％以下を含有する化学組成を有する請求項１に記載のＴｉ含有フェライト系ステンレス鋼板。
【請求項３】
質量％で、さらにＢ：０.００３０％以下を含有する化学組成を有する請求項１または２に記載のＴｉ含有フェライト系ステンレス鋼板。
【請求項４】
前記化学組成を有する鋼のスラブを加熱炉で加熱したのち９５０〜１１２０℃の温度で炉から出し、粗圧延機により圧延して板厚２０〜５０ｍｍ、表面温度７００〜８５０℃の中間スラブとし、次いで前記中間スラブに熱間圧延を施して板厚５.０〜１１.０ｍｍとしたのち表面温度６５０〜８００℃にて巻き取ることにより熱延鋼板を得る工程、
前記熱延鋼板を８００〜１１００℃で焼鈍する工程、
を有する請求項１〜３のいずれか１項に記載のＴｉ含有フェライト系ステンレス鋼板の製造方法。
【発明の詳細な説明】
【技術分野】
【０００１】
本発明は、靭性に優れる厚ゲージのＴｉ含有フェライト系ステンレス鋼板、およびその製造方法に関する。
【背景技術】
【０００２】
自動車排ガス流路部材には、耐食性、耐熱性、強度などの特性が要求される。これらの特性に優れる素材として、従来、オーステナイト系ステンレス鋼板が多用されてきた。近年、オーステナイト系鋼種に代えて、熱膨張係数が小さく原料コストも安いフェライト系鋼種を採用したいというニーズが高まっている。そのような代替材としてＴｉ含有フェライト系ステンレス鋼板が挙げられる。
【０００３】
自動車排ガス流路部材は、一般に、冷延焼鈍鋼板にプレス加工を施したり、冷延焼鈍鋼板をパイプ加工した後に種々の加工を施したりする工程により製造される。近年の自動車排ガス流路部材は複雑な形状に成形される場合も多く、その素材である冷延焼鈍鋼板には優れた加工性が要求される。加工性の良い冷延焼鈍鋼板を得るためには、冷間圧延率を高めることが有利である。十分な冷間圧延率を確保するためには、厚ゲージ（例えば板厚５.０ｍｍ以上）の熱延焼鈍鋼板を使用することが有効である。
【０００４】
厚ゲージの熱延焼鈍鋼板を冷延工程へと進めていく場合、鋼板の靭性が低いと、緩やかな板曲げとなるような直径の大きいルーパーを有するラインへの通板に限定したり、冷延工程での中間焼鈍回数を増やしたりする対策が必要となる。これらの対処法は生産性や製造コストの増大を伴う。
【先行技術文献】
【特許文献】
【０００５】
【特許文献１】特開昭６０−２２８６１６号公報
【特許文献２】特開昭６４−５６８２２号公報
【特許文献３】特開２０１２−１４０６８８号公報
【発明の概要】
【発明が解決しようとする課題】
【０００６】
一般的にＴｉ含有フェライト系ステンレス鋼の厚ゲージ鋼板では、低温靭性が低下しやすい。Ｔｉ含有フェライト系ステンレス鋼板の靭性を向上させる方法として、特許文献１には、熱間圧延後に急冷を行い、４５０℃以下の温度で巻き取る手法が開示されている。特許文献２には、熱延仕上温度を組成に応じて高くし、巻取後に急水冷する手法が開示されている。しかし、これらの対策を講じても、板厚が厚くなるとライン通板時の靭性に対する信頼性が不十分となる場合がある。特許文献３には、５７０℃以上で巻き取ってコイルとし、コイル再外周の表面温度が５５０℃である時間を５分以上確保したのちに水槽に浸漬する手法が開示されている。しかし、熱延鋼板の結晶粒径によっては、低温靭性の更なる向上が望まれる場合がある。
【０００７】
本発明は、靭性に優れるＴｉ含有フェライト系ステンレス鋼の厚ゲージ鋼板を提供することを目的とする。
【課題を解決するための手段】
【０００８】
発明者らの研究によれば、Ｔｉ含有フェライト系ステンレス鋼の厚ゲージ鋼板の靭性は、フェライト相のマトリックス中に固溶しているＣ量およびＮ量を低減することによって向上するが、その向上の程度はフェライト結晶粒径に大きく影響されることがわかった。本発明はこのような知見に基づいて完成したものである。
【０００９】
上記目的は、質量％で、Ｃ：０.００３〜０.０３０％、Ｓｉ：２.０％以下、Ｍｎ：２.０％以下、Ｐ：０.０５０％以下、Ｓ：０.０４０％以下、Ｃｒ：１０.０〜１９.０％、Ｎ：０.０３０％以下、Ｔｉ：０.０７〜０.５０％、Ａｌ：０.０１０〜０.２０％であり、さらに必要に応じてＭｏ：１.５０％以下、Ｂ：０.００３０％以下の１種以上を含有し、残部Ｆｅおよび不可避的不純物からなる化学組成を有し、下記（１）式により定義されるＫ値が１５０以上であり、板厚が５.０〜１１.０ｍｍであるＴｉ含有フェライト系ステンレス鋼板によって達成される。
Ｋ値＝−０.０７×Ｃｒ−６７９０×Ｆｒｅｅ（Ｃ＋Ｎ）−１.４４×ｄ＋２６７  ……（１）
ここで、（１）式のＣｒの箇所には鋼中Ｃｒ含有量（質量％）の値が代入される。Ｆｒｅｅ（Ｃ＋Ｎ）は、鋼中に存在するＣとＮの合計含有量（質量％）から電解抽出法で回収される抽出残渣中に存在するＣとＮの合計含有量（質量％）を差し引いた値（質量％）である。ｄは、圧延方向および板厚方向に平行な断面（Ｌ断面）を研磨した観察面について、ＪＩＳ  Ｇ０５５１：２０１３の附属書Ｃに規定される直線試験線による切断法、すなわち、結晶粒内を横切る試験線の１結晶粒当たりの平均線分長により求まる平均結晶粒径（μｍ）である。
【００１０】
上記のＴｉ含有フェライト系ステンレス鋼板は、前記化学組成を有する鋼のスラブを加熱炉で加熱したのち９５０〜１１２０℃の温度で炉から出し、粗圧延機により圧延して板厚２０〜５０ｍｍ、表面温度７００〜８５０℃の中間スラブとし、次いで前記中間スラブに熱間圧延を施して板厚５.０〜１１.０ｍｍとしたのち表面温度６５０〜８００℃にて巻き取ることにより熱延鋼板を得る工程、
前記熱延鋼板を８００〜１１００℃で焼鈍する工程、
を有する製造方法によって得ることができる。
【発明の効果】
【００１１】
本発明によれば、靭性に優れたＴｉ含有フェライト系ステンレス鋼の厚ゲージ鋼板を安定して実現することができる。この鋼板は特に低温靭性が向上しているため、通板条件や製造条件の制約を緩和することも可能となる。厚ゲージ鋼板を素材として各種部品へ加工する場合も、靭性に関する信頼性が高い。
【発明を実施するための形態】
【００１２】
〔化学組成〕
本発明では、以下に示す成分元素を含有するフェライト系ステンレス鋼を対象とする。鋼板の化学組成に関する「％」は、特に断らない限り質量％を意味する。
【００１３】
Ｃは、鋼を硬質化させ、熱延焼鈍鋼板の靭性を低下させる要因となる。Ｃ含有量（固溶Ｃと化合物として存在するＣのトータル量）は０.０３０％以下に制限される。０.０２０％以下とすることがより好ましく、０.０１５％以下に管理してもよい。過剰な低Ｃ化は製鋼への負荷を増大させ、コスト上昇となる。ここでは、Ｃ含有量０.００３％以上の鋼板を対象とする。
【００１４】
ＳｉおよびＭｎは、脱酸剤として有効である他、耐高温酸化性を向上させる作用を有する。Ｓｉについては０.０２％以上、Ｍｎについては０.１０％以上の含有量を確保することがより効果的である。これらの元素は、多量に含有すると鋼の脆化を招く要因となる。Ｓｉ含有量は２.０％以下に制限され、１.０％以下とすることがより好ましい。Ｍｎ含有量も２.０％以下に制限され、１.０％以下とすることがより好ましい。
【００１５】
ＰおよびＳは、多量に含有すると耐食性低下などの要因となる。Ｐ含有量は０.０５０％まで許容でき、Ｓ含有量は０.０４０％まで許容できる。過剰な低Ｐ化、低Ｓ化は製鋼への負荷を増大させ不経済となる。通常、Ｐ含有量は０.０１０〜０.０５０％、Ｓ含有量は０.０００５〜０.０４０％の範囲で調整すればよい。
【００１６】
Ｃｒは、ステンレス鋼としての耐食性を確保するために重要である。耐高温酸化性の向上にも有効である。これらの作用を発揮させるために、１０.０％以上のＣｒ含有量が必要である。多量にＣｒを含有すると鋼が硬質化し、厚ゲージ熱延焼鈍鋼板の靭性改善に支障をきたす場合がある。ここではＣｒ含有量が１９.０％以下の鋼を対象とする。
【００１７】
Ｎは、Ｃと同様、熱延焼鈍鋼板の靭性を低下させる要因となる。Ｎ含有量（固溶Ｎと化合物として存在するＮのトータル量）は０.０３０％以下に制限される。０.０２０％以下とすることがより好ましく、０.０１５％以下に管理してもよい。過剰な低Ｎ化は製鋼への負荷を増大させ、コスト上昇となる。通常、Ｎ含有量は０.００３％以上の範囲で調整すればよい。
【００１８】
Ｔｉは、Ｃ、Ｎと結合してＴｉ炭窒化物を形成することによって、Ｃｒ炭窒化物の粒界偏析を抑制し、鋼の耐食性および耐高温酸化性を高く維持する上で極めて有効な元素である。Ｔｉ含有量は０.０７％以上とする必要がある。０.０９％以上とすることがより効果的であり、０.１５％以上とすることが更に好ましい。Ｔｉ含有量が過大になると、熱延焼鈍鋼板の靭性低下を助長するので好ましくない。種々検討の結果、Ｔｉ含有量は０.５０％以下に制限され、０.４０％以下の範囲で含有させることがより望ましい。なお、本明細書において「炭窒化物」とは、Ｃ、Ｎの１種以上が金属元素と結合した化合物をいう。Ｔｉ炭窒化物の例だと、ＴｉＣ、ＴｉＮおよびＴｉ（Ｃ，Ｎ）がこれに該当する。
【００１９】
Ａｌは、脱酸剤として有効である。その作用を十分に得るために、０.０１０％以上のＡｌ含有量となるように添加することが効果的である。多量のＡｌ含有は靭性低下の要因となる。Ａｌ含有量は０.２０％以下に制限される。
【００２０】
Ｍｏは、耐食性の向上に有効であり、必要に応じて添加することができる。その場合、０.０１％以上のＭｏ含有量とすることがより効果的である。多量のＭｏ含有は靭性に悪影響を及ぼす場合がある。Ｍｏ含有量は０〜１.５０％の範囲とする。
【００２１】
Ｂは、２次加工性向上に有効であり、必要に応じて添加することができる。その場合、０.００１０％以上の含有量を確保することがより効果的である。ただし、Ｂ含有量が０.００３０％を超えるとＣｒ2Ｂの生成により金属組織の均一性が損なわれ、加工性が低下する場合がある。Ｂ含有量は０〜０.００３０％の範囲とする。
【００２２】
〔Ｋ値〕
下記（１）式で表されるＫ値は、上記化学組成範囲のＴｉ含有フェライト系ステンレス鋼の厚ゲージ鋼板（板厚５.０〜１１.０ｍｍ）におけるＵノッチ衝撃試験片（衝撃方向が圧延方向と板厚方向に垂直な方向）を用いた２０℃でのシャルピー衝撃値（Ｊ／ｃｍ2）を、鋼中Ｃｒ含有量、固溶Ｃ＋Ｎ量、平均結晶粒径から精度良く推定する指標である。
Ｋ値＝−０.０７×Ｃｒ−６７９０×Ｆｒｅｅ（Ｃ＋Ｎ）−１.４４×ｄ＋２６７  ……（１）
ここで、（１）式のＣｒの箇所には鋼中Ｃｒ含有量（質量％）の値が代入される。Ｆｒｅｅ（Ｃ＋Ｎ）は、鋼中に存在するＣとＮの合計含有量（質量％）から電解抽出法で回収される抽出残渣中に存在するＣとＮの合計含有量（質量％）を差し引いた値（質量％）である。ｄは、圧延方向および板厚方向に平行な断面（Ｌ断面）を研磨した観察面について、ＪＩＳ  Ｇ０５５１：２０１３の附属書Ｃに規定される直線試験線による切断法により求まる平均結晶粒径（μｍ）である。
【００２３】
発明者らの詳細な検討によれば、厚ゲージＴｉ含有フェライト系ステンレス鋼板の常温付近の靭性は、Ｃｒ含有量、固溶Ｃ＋Ｎ量、およびフェライト平均結晶粒径の影響を大きく受けることがわかった。上記化学組成を満たし、かつＫ値が１５０以上となるようにＣｒ含有量、固溶Ｃ＋Ｎ量および平均結晶粒径が調整されていれば、厚ゲージ鋼板を鋼管や各種部材に加工する際や、冷間圧延を施して薄ゲージ鋼板を得る際の靭性に関する信頼性が十分に確保されることが確認された。従って本明細書では上記Ｋ値が１５０以上であることを要件とする。熱延焼鈍鋼板における固溶Ｃ＋Ｎ量とフェライト平均結晶粒径は、後述の熱延条件によってコントロールすることができ、Ｋ値が１５０以上の熱延焼鈍鋼板を作り分けることができる。
【００２４】
上記（１）式のＦｒｅｅ（Ｃ＋Ｎ）は、固溶（Ｃ＋Ｎ）濃度（質量％）に相当するものである。以下の方法でＦｒｅｅ（Ｃ＋Ｎ）を求めることができる。
〔Ｆｒｅｅ（Ｃ＋Ｎ）の求め方〕
１０質量％のアセチルアセトン、１質量％のテトラメチルアンモニウムクロライド、８９質量％のメチルアルコールからなる非水系電解液中で、鋼板から採取した質量既知のサンプルに、飽和甘汞基準電極（ＳＣＥ）に対して−１００ｍＶ〜４００ｍＶの電位を付与し、サンプルのマトリックス（金属素地）を全部溶解させたのち、未溶解物を含む液を孔径０.０５μｍのメンブレンフィルターにてろ過し、フィルターに残った固形分を抽出残渣として回収する。抽出残渣中のＣおよびＮを、Ｃについては赤外線吸収式−高周波燃焼法にて、Ｎについてはインパルス加熱融解−熱伝導度法にてそれぞれ分析し、抽出残渣中に存在するＣとＮの合計含有量Ｉｎｓｏｌ（Ｃ＋Ｎ）（鋼中に占める質量％）を算出する。Ｆｒｅｅ（Ｃ＋Ｎ）（質量％）は下記（２）式によって求まる。
Ｆｒｅｅ（Ｃ＋Ｎ）＝Ｔｏｔａｌ（Ｃ＋Ｎ）−Ｉｎｓｏｌ（Ｃ＋Ｎ）  ……（２）
ここで、Ｔｏｔａｌ（Ｃ＋Ｎ）は鋼中に存在するＣとＮの合計量（質量％）、Ｉｎｓｏｌ（Ｃ＋Ｎ）は抽出残渣中に存在するＣとＮの合計含有量（質量％）である。
【００２５】
〔板厚〕
Ｔｉ含有フェライト系ステンレス鋼は、耐食性、耐熱性等の材料特性面において、自動車排ガス流路部材用途に有用な鋼種の一つである。自動車排ガス流路部材に加工するための素材鋼板には優れた加工性が要求される。その加工性の指標となるランクフォード値（ｒ値）を向上させるためには、冷間圧延率を増大させることが効果的である。高い冷間圧延率を稼ぐためには、厚ゲージの熱延鋼板を採用することが有利となる。一方、Ｔｉ含有フェライト系ステンレス鋼は常温付近から低温側で鋼板の靭性低下を生じやすい鋼種である。厚ゲージの鋼板では靭性低下の影響がより顕在化しやすい。
【００２６】
種々検討の結果、冷延鋼板のｒ値を向上させるためには板厚５.０ｍｍ以上の熱延鋼板を適用することが極めて有効である。そこで、本発明では板厚５.０ｍｍ以上の熱延鋼板を対象として、靭性改善を図ることとした。板厚５.５ｍｍ以上の熱延鋼板を対象とすることが、より効果的である。板厚があまり厚くなると、冷延工程での一般的な通板ラインでは負荷が過大となる場合がある。ここでは板厚１１.０ｍｍ以下の鋼板を対象とする。板厚９.０ｍｍ以下とすることがより好ましい。
【００２７】
〔製造方法〕
靭性に優れる上記の厚ゲージＴｉ含有フェライト系ステンレス熱延鋼板は、従来一般的なステンレス熱延鋼板製造設備にて製造することができる。以下に、製造方法を例示する。
【００２８】
〔溶製〕
連続鋳造法によって鋳造スラブを製造する。造塊法によって鋳塊を作り、鍛造あるいは分塊圧延にてスラブを製造してもよい。スラブ厚さは２００〜２５０ｍｍとすることが好ましい。
【００２９】
〔スラブ加熱〕
上記スラブを加熱炉に入れ、９５０℃以上の温度に加熱する。加熱時間（材料温度が９５０℃以上に保持される時間）は例えば５０〜１２０分の範囲で設定することができる。９５０℃以上の温度に加熱することにより、鋳造時に生成した粗大なＴｉＣがＴｉ＋Ｃに分解し、ＴｉＣがほぼ消失した組織状態を実現できる。ＴｉＮについては１１５０℃でもまだ完全には分解しないが、Ｎの完全固溶化には特にこだわる必要はない。材料の最高到達温度は１１２０℃以下の範囲で設定できるが、炉から出す際の材料温度（抽出温度）は後述の温度範囲に調整する必要がある。
【００３０】
〔粗圧延〕
加熱後のスラブを抽出温度９５０〜１１２０℃にて炉から出し、粗圧延機により圧延する。抽出温度がこれより高いと、再結晶フェライト相の平均結晶粒径が粗大化しやすく、上述のＫ値が１５０以下である熱延鋼板を得ることが難しくなる。粗圧延は１パスまたは複数パスの圧延にて行い、板厚２０〜５０ｍｍの中間スラブを製造する。その際、粗圧延によって得られる中間スラブの表面温度が７００〜８５０℃となるようにコントロールすることが重要である。すなわち、少なくとも粗圧延の最終パス温度が７００〜８５０℃の範囲となるように抽出温度および粗圧延パススケジュールを設定する。この温度範囲はＴｉＣの再析出が生じる温度域に重なる。未固溶のＴｉＣがほとんど残存していない状態から、粗圧延中にＴｉＣを再析出させると、多くのサイトから微細なＴｉＣが発生する。中間スラブ中には、これら数多くのＴｉＣあるいは既に析出しているＴｉＮを核として生成したＴｉ炭窒化物が微細分散した状態となる。微細分散したＴｉ炭窒化物は、ピン止め効果によってフェライト再結晶粒の粗大化を抑制する作用を発揮する。中間スラブの表面温度が８５０℃を超えるような高温で粗圧延を行うと、ＴｉＣが活発に再析出する温度より高温での粗圧延となるので、前記ピン止め効果が十分に発揮されず、粗大結晶粒が生成し、結晶粒微細化効果が不十分となる。一方、中間スラブの表面温度が７００℃を下回ると、後述の仕上熱間圧延での変形抵抗が増大したり、巻取温度が低くなりすぎたりする要因となる。粗圧延の合計圧延率は８０〜９０％とすることが好ましい。
【００３１】
〔仕上熱間圧延〕
上記中間スラブに対して巻取までの間に施す一連の熱間圧延を、ここでは「仕上熱間圧延」と呼ぶ。仕上熱間圧延は、リバース式圧延機を用いて行ってもよいし、タンデム式の連続圧延機を用いて行ってもよい。最終パス後の板厚が５.０〜１１.０ｍｍとなり、かつ後述の巻取温度が実現できるようにパススケジュールを設定する。仕上熱間圧延中にもピン止め効果によって再結晶粒の成長が抑制される。仕上熱間圧延の合計圧延率は例えば６５〜８５％とすることができる。
【００３２】
〔巻取〕
仕上熱間圧延を終えた鋼板は、表面温度が６５０〜８００℃である状態でコイル状に巻き取り、熱延鋼板とする。６５０℃より低温で巻き取ると、高温強度が上昇するため、正常な形でコイル状に巻き取れない状態が生じやすい。このような巻取異常が発生すると、巻きなおし工程を通板する必要があるため生産コスト上昇につながる。８００℃より高温で巻き取ると動的な２次再結晶化が促進され、結晶粒粗大化が進行しやすい。この場合、Ｋ値の低下（すなわち靭性低下）につながる恐れがある。巻取後は、そのまま大気中で放冷すればよい。水冷等の冷却処理を行わなくても、上記のピン止め効果によってもたらされる効果は維持される。低温靭性改善は結晶粒微細化によるところが大きい。また、固溶Ｃ、Ｎの低減によるマトリックスの軟質化も低温靭性改善に寄与していると考えられる。
【００３３】
〔焼鈍〕
上記のようにして得られた熱延鋼板に、８００〜１１００℃での焼鈍（熱延板焼鈍）を施すことによって、靭性に優れた厚ゲージのＴｉ含有フェライト系ステンレス鋼板を得ることができる。焼鈍時間は例えば均熱０〜５分とすることができる。ここで、均熱０分とは材料温度が所定の温度に到達したのち直ちに冷却する場合をいう。
【実施例】
【００３４】
表１に示す鋼を溶製し、厚さ約２００ｍｍの連続鋳造スラブを得た。鋼の化学組成はいずれも本発明の規定を満たしている。各連続鋳造スラブを加熱炉に入れて、鋼種に応じて表２に記載のスラブ加熱温度で約５０〜１００分間保持したのち炉から出し、直ちに粗圧延機による粗圧延を行った。抽出温度はスラブ加熱温度と同じとした。粗圧延は仕上目標板厚に応じて７〜９パスで行い、厚さ２０〜５０ｍｍの中間スラブを作製した。粗圧延機の最終パス出側で中間スラブの表面温度を測定した。その温度を表２中に「中間スラブ温度」として表示してある。得られた中間スラブについて、直ちに６スタンドのミルを備える連続熱間圧延機あるいはコイラーファーネスを有する可逆式熱間圧延機により仕上熱間圧延を施し、その後、巻き取って表２に示す板厚の熱延鋼板を得た。巻取温度は巻取機直前の板表面温度を測定することにより求めた。得られた熱延鋼板に表２に示す温度で均熱０分の熱延板焼鈍を施した。
【００３５】
各熱延焼鈍鋼板からサンプルを採取し、上述の方法で、Ｆｒｅｅ（Ｃ＋Ｎ）、平均結晶粒径ｄを求め、（１）式によりＫ値を求めた。また、各熱延鋼板からＵノッチ衝撃試験片を作製し、ＪＩＳ  Ｚ２２４２：２００５に従い２０℃でのシャルピー衝撃試験を行った。ハンマーによる衝撃付与方向（すなわちＵノッチの深さ方向）は、圧延方向と板厚方向に垂直な方向（すなわち熱延焼鈍鋼帯の板幅方向）とした。これらの結果を表２に示す。
【００３６】
【表１】
0006022097.tif 000002
【００３７】
【表２】
0006022097.tif 000003
【００３８】
本発明に従ってＫ値が１５０以上となる条件で製造した熱延鋼板（本発明例）は、いずれも２０℃のＵノッチ衝撃試験片による衝撃値が１５０Ｊ／ｃｍ2以上となり、良好な靭性を有している。
【００３９】
比較例であるＮｏ.２１、２２、２３、２４、２５、２６、２７、２８はスラブ加熱温度、中間スラブ温度、巻取温度が本発明例から高めに外れていたためＴｉＣ等による析出物のピン止め効果が得られず、平均結晶粒径が大きくなり、その結果、靭性が低下した。Ｎｏ.２９ではスラブ加熱温度、中間スラブ温度は本発明の条件を満たすが、巻取温度が低いために巻き取ったコイルの形状が悪くなった。また、鋼中のＣ、Ｎ含有量が高い割りにＴｉ添加量が少ないので、Ｆｒｅｅ（Ｃ＋Ｎ）が高くなり、靭性が低下した。
【要約】
【課題】靭性に優れるＴｉ含有フェライト系ステンレス鋼の厚ゲージ熱延鋼板を提供する。
【解決手段】質量％で、Ｃ：０.００３〜０.０３０％、Ｓｉ：２.０％以下、Ｍｎ：２.０％以下、Ｐ：０.０５０％以下、Ｓ：０.０４０％以下、Ｃｒ：１０.０〜１９.０％、Ｎ：０.０３０％以下、Ｔｉ：０.０７〜０.５０％、Ａｌ：０.０１０〜０.２０％、Ｍｏ：０〜１.５０％、Ｂ：０〜０.００３０％、残部Ｆｅおよび不可避的不純物からなる化学組成を有し、下記（１）式により定義されるＫ値が１５０以上であり、板厚が５.０〜１１.０ｍｍであるＴｉ含有フェライト系ステンレス鋼板。
Ｋ値＝−０.０７×Ｃｒ−６７９０×Ｆｒｅｅ（Ｃ＋Ｎ）−１.４４×ｄ＋２６７  ……（１）
ここで、Ｆｒｅｅ（Ｃ＋Ｎ）は固溶（Ｃ＋Ｎ）濃度（質量％）に相当し、ｄは平均結晶粒径（μｍ）である。
【選択図】なし